(57)【要約】アクチュエータは、ノズルと、バルブと、バルブと動作可能に接続されたトリガー（２８）であって、トリガーは、エラストマー材料を含み、トリガーは、作動時に前方位置から後方位置へ、そして前方位置へ戻る往復運動をするように構成され、前方位置から後方位置への作動時に、トリガーは、変化するモーメントアームを備える、トリガーと、を備えるアクチュエータ。
2020508942.tif 000002
【特許請求の範囲】
【請求項１】
ノズルと、
バルブと、
前記バルブと動作可能に接続されたトリガーであって、前記トリガーは、第１のゾーン及び第２のゾーンを備え、前記第１のゾーン及び前記第２のゾーンは、ヒンジによって接合され、前記ヒンジは、前記第１のゾーン及び前記第２のゾーンが周囲を移動可能であるヒンジ軸を備え、前記トリガーは、作動時に前方位置から後方位置へ、そして前記前方位置へ戻る往復運動をするように構成されている、トリガーと、
前記トリガーとハウジングとの間に位置付けられた機械的停止部であって、前記トリガーの前記第１のゾーンと係合するように構成されており、前記前方位置から前記機械的停止部への前記トリガーの移動は、前記第１のゾーン及び前記第２のゾーンを共通の軸を中心として移動させ、前記機械的停止部から前記後方位置への前記トリガーの移動は、前記第１のゾーン及び前記第２のゾーンを、前記ヒンジ軸を中心として反対方向に移動させる、機械的停止部と、を備える、アクチュエータ。
【請求項２】
前記ヒンジは、リビングヒンジである、請求項１に記載のアクチュエータ。
【請求項３】
前記第１のゾーン及び前記第２のゾーンは、前記ヒンジに接続された別個の要素である、請求項１に記載のアクチュエータ。
【請求項４】
前記トリガーは、カバーを備え、前記カバーが、前記トリガーの前記第１のゾーン及び前記第２のゾーンを取り囲むエラストマー材料を含む、請求項１〜３のいずれか一項に記載のアクチュエータ。
【請求項５】
前記トリガーは、前記第１のゾーン及び前記第２のゾーンを接合する弾性カップラーを備える、請求項１〜４のいずれか一項に記載のアクチュエータ。
【請求項６】
容器と動作可能に接続された、請求項１〜５のいずれか一項に記載のアクチュエータを備える噴霧器。
【請求項７】
空気フレッシュニング組成物又は布地フレッシュニング組成物を更に備える、請求項６に記載の噴霧器。
【請求項８】
請求項１〜７のいずれか一項に記載の噴霧器を提供する工程と、
前記組成物を空気又は表面上に噴霧する工程と、を含む、空気又は布地をフレッシュニングする方法。
【発明の詳細な説明】
【技術分野】
【０００１】
本開示は、人間工学的スプレーアクチュエータ、人間工学的スプレーアクチュエータを含むスプレー製品、及びそれを用いて空気又は布地をフレッシュニングする方法を対象とする。
【背景技術】
【０００２】
トリガーを有するスプレー製品が知られている。トリガー噴霧器は、典型的には、手動式ポンプ又は加圧容器から下に延びる、手持ち容器を使用する。容器は、流れ状、微細な液滴状、泡状又は霧状で噴霧されることが望ましい任意の組成物を保持することができる。組成物は、空気清浄剤、布地消臭剤、ヘアスプレー、クレンザー等を含む場合がある。
【０００３】
エアゾール噴霧器のポンプ又はバルブステムは、関節運動式トリガーによって作動される。ユーザーは、その手でトリガーを絞り、典型的には、トリガーを前方の休止位置から、後方の供給位置まで引き込む。トリガーの動きにより、組成物が容器から供給され、ノズルから噴霧される。
【０００４】
噴霧の特性（例えば、流れ、液滴、霧）は、いくつかのパラメータ及びポンプの操作特性によって決定される。例えば、ノズル形状、ピストン孔、ピストンのストローク及びポンプ効率は全て、噴霧特性に影響を与える。
【０００５】
ある特定の組成物のために設計されたポンプが、異なる組成物と共に使用される場合、状況は複雑である。組成物のレオロジー、表面張力等もまた、噴霧特性に影響を与える。
【０００６】
状況は、ユーザーの操作によって更に複雑となる。ポンプは、各ストロークが、特定のストローク速度で、ピストン排気量の全容量を供給しながら、最大トリガーストロークを用いて使用されるように設計され、そうすることを意図される場合がある。しかしながら、ユーザーは、いつも意図された様式でトリガーを操作するとは限らないか、又は決して意図された様式でトリガーを操作しない場合がある。
【０００７】
ピストン孔が大きすぎる場合、正しいトリガーストロークを得るために必要な力は、特定のユーザーにとっては大きすぎる場合がある。ピストンストロークが長すぎる場合、又はトリガー関節動作が長すぎる場合、ユーザーは意図された経路長さ全体にわたってトリガーを引かない場合がある。ユーザーの手が小さすぎる場合、又は大きすぎる場合、ユーザーは意図されたようにはトリガーを操作しない場合がある。ユーザーはトリガーを意図されるよりも遅く、又は速く操作する場合がある。ユーザーの手が疲れている場合があり、操作は特定の使用の中間で及びストロークの中間で変化し得る。
【発明の概要】
【発明が解決しようとする課題】
【０００８】
したがって、ある範囲のユーザーのために人間工学的に設計されたスプレーアクチュエータ及びスプレー製品を提供することが有益であろう。
【課題を解決するための手段】
【０００９】
組み合わせ：
Ａ．ノズルと、
バルブと、
バルブと動作可能に接続されたトリガーであって、トリガーは、第１のゾーン及び第２のゾーンを備え、第１のゾーン及び第２のゾーンは、ヒンジによって接合され、ヒンジは、第１のゾーン及び第２のゾーンが周囲を移動可能であるヒンジ軸を備え、トリガーは、作動時に前方位置から後方位置へ、そして前方位置へ戻る往復運動をするように構成されている、トリガーと、
トリガーとハウジングとの間に位置付けられた機械的停止部であって、トリガーの第１のゾーンと係合するように構成されおり、前方位置から機械的停止部へのトリガーの移動は、第１のゾーン及び第２のゾーンを共通の軸を中心として移動させ、機械的停止部から後方位置へのトリガーの移動は、第１のゾーン及び第２のゾーンを、ヒンジ軸を中心として反対方向に移動させる、機械的停止部と、を備える、アクチュエータ。
Ｂ．ヒンジは、リビングヒンジである、パラグラフＡに記載のアクチュエータ。
Ｃ．第１のゾーン及び第２のゾーンは、ヒンジに接続された別個の要素である、パラグラフＡ又はパラグラフＢに記載のアクチュエータ。
Ｄ．トリガーは、カバーを備え、カバーは、トリガーの第１のゾーン及び第２のゾーンを取り囲むエラストマー材料を備える、パラグラフＡ〜Ｃのいずれか１つに記載のアクチュエータ。
Ｅ．トリガーは、第１のゾーン及び第２のゾーンを接合する弾性カップラーを備える、パラグラフＡ〜Ｄのいずれか１つに記載のアクチュエータ。
Ｆ．容器と動作可能に接続された、パラグラフＡ〜Ｄのいずれか１つに記載のアクチュエータを備える噴霧器。
Ｇ．空気フレッシュニング組成物又は布地フレッシュニング組成物を更に備える、パラグラフＦに記載の噴霧器。
Ｈ．パラグラフＡ〜Ｇのいずれか１つに記載の噴霧器を提供する工程と、
組成物を空気又は表面上に噴霧する工程と、を含む、空気又は布地をフレッシュニングする方法。
Ｉ．ノズルと、
バルブと、
バルブと動作可能に接続されたトリガーであって、トリガーは、第１のゾーン及び第２のゾーンを備え、第１のゾーン及び第２のゾーンは、ヒンジに接続され、トリガーは、作動時に前方位置から後方位置へ、そして前方位置へ戻る往復運動をするように構成されており、作動の反対方向にヒンジに力を加えることによって、第１のゾーン及び第２のゾーンを、同じ軸を中心として反対方向に移動させる、トリガーと、を備える、アクチュエータ。
Ｊ．ヒンジは、リビングヒンジである、パラグラフＩに記載のアクチュエータ。
Ｋ．第１のゾーン及び第２のゾーンは、ヒンジに接続された別個の要素である、パラグラフＩ又はパラグラフＪに記載のアクチュエータ。
Ｌ．トリガーは、カバーを備え、カバーは、トリガーの第１のゾーン及び第２のゾーンを取り囲むエラストマー材料を含む、パラグラフＩ〜Ｋのいずれか１つに記載のアクチュエータ。
Ｍ．トリガーは、第１のゾーン及び第２のゾーンを接合する弾性カップラーを備える、パラグラフＩ〜Ｌのいずれか１つに記載のアクチュエータ。
Ｎ．容器と動作可能に接続された、パラグラフＩ〜Ｍのいずれか１つに記載のアクチュエータを備える噴霧器。
Ｏ．空気フレッシュニング組成物又は布地フレッシュニング組成物を更に備える、パラグラフＮに記載の噴霧器。
Ｐ．パラグラフＩ〜Ｏのいずれか１つに記載の噴霧器を提供する工程と、
組成物を空気又は表面上に噴霧する工程と、を含む、空気又は布地をフレッシュニングする方法。
Ｑ．ノズルと、
バルブと、
バルブと動作可能に接続されたトリガーであって、トリガーは、エラストマー材料を含み、トリガーは、作動時に前方位置から後方位置へ、そして前方位置に戻る往復運動をするように構成されており、前方位置から後方位置への作動時に、トリガーは、変化するモーメントアームを備える、トリガーと、を備える、アクチュエータ。
Ｒ．ヒンジは、リビングヒンジである、パラグラフＱに記載のアクチュエータ。
Ｓ．第１のゾーン及び第２のゾーンは、ヒンジに接続された別個の要素である、パラグラフＱ又はパラグラフＲに記載のアクチュエータ。
Ｔ．トリガーは、カバーを備え、カバーは、トリガーの第１のゾーン及び第２のゾーンを取り囲むエラストマー材料を含む、パラグラフＱ〜Ｓのいずれか１つに記載のアクチュエータ。
Ｕ．トリガーは、第１のゾーン及び第２のゾーンを接合する弾性カップラーを備える、パラグラフＱ〜Ｔのいずれか１つに記載のアクチュエータ。
Ｖ．容器と動作可能に接続された、パラグラフＱ〜Ｕのいずれか１つに記載のアクチュエータを備える噴霧器。
Ｗ．空気フレッシュニング組成物又は布地フレッシュニング組成物を更に備える、パラグラフＶの噴霧器。
Ｘ．パラグラフＱ〜Ｗのいずれか１つに記載の噴霧器を提供する工程と、
組成物を空気又は表面上に噴霧する工程と、を含む、空気又は布地をフレッシュニングする方法。
Ｙ．ノズルと、
バルブと、
バルブと動作可能に接続されたトリガーであって、トリガーは、外側表面、並びに第１のゾーン及び第２のゾーンを備え、トリガーは、第１の構成及び第２の構成に適合可能であり、第１の構成では、外側表面は第１の長さを有し、第２の構成では、外側表面は第１の長さとは異なる第２の長さを有する、トリガーと、を備える、アクチュエータ。
Ｚ．第２のゾーンは、第１の位置から第２の位置へと移動可能であり、第１の位置では、外側表面は第１のゾーンを備え、第２のゾーンは第１のゾーンの後方に配置され、第２の位置では、外側表面は第１のゾーン及び第２のゾーンを備える、パラグラフＹに記載のアクチュエータ。
ＡＡ．延長部は、トリガーの第１のゾーンと摺動可能に接続されている、パラグラフＹ又はパラグラフＺに記載のアクチュエータ。
ＢＢ．延長部は、トリガーの第１のゾーンと回転可能に接続されている、パラグラフＹ〜ＡＡのいずれか１つに記載のアクチュエータ。
ＣＣ．ヒンジは、リビングヒンジである、パラグラフＹ〜ＢＢのいずれか１つに記載のアクチュエータ。
ＤＤ．第１のゾーン及び第２のゾーンは、ヒンジに接続された別個の要素である、パラグラフＹ〜ＣＣのいずれか１つに記載のアクチュエータ。
ＥＥ．トリガーは、カバーを備え、カバーは、トリガーの第１のゾーン及び第２のゾーンを取り囲むエラストマー材料を含む、パラグラフＹ〜ＤＤのいずれか１つに記載のアクチュエータ。
ＦＦ．トリガーは、第１のゾーン及び第２のゾーンを接合する弾性カップラーを備える、パラグラフＹ〜ＥＥのいずれか１つに記載のアクチュエータ。
ＧＧ．容器と動作可能に接続された、パラグラフＹ〜ＦＦのいずれか１つに記載のアクチュエータを備える噴霧器。
ＨＨ．空気フレッシュニング組成物又は布地フレッシュニング組成物を更に備える、パラグラフＧＧに記載の噴霧器。
ＩＩ．
パラグラフＹ〜ＨＨのいずれか１つに記載の噴霧器を提供する工程と、
組成物を空気又は表面上に噴霧する工程と、を含む、空気又は布地をフレッシュニングする方法。
【図面の簡単な説明】
【００１０】
【図１】噴霧器の側面立面図である。
【図２】線２−２に沿って見た、図１の噴霧器の前方位置にあるアクチュエータの断面図である。
【図３】後方位置にあるアクチュエータの断面図である。
【図４】後方位置にあるトリガーを示す、図２のアクチュエータの断片垂直断面図である。
【図５】エンジンハウジングを仮想的に示すアクチュエータの斜視図である。
【図６】図５の側面立面図である。
【図７】噴霧器の斜視図である。
【図８】図７の噴霧器の側面立面図である。
【図９】図７の噴霧器の正面立面図である。
【図１０】線１０−１０に沿って見た、図９の断面図である。
【図１１】アクチュエータを把持するユーザーを示す、噴霧器の側面立面図である。
【図１２】図７の噴霧器の上面平面図である。
【図１３】アクチュエータの分解図である。
【図１４Ａ】前方位置にあるトリガーの概略側面立面図である。
【図１４Ｂ】後方位置にあるトリガーの概略側面立面図である。
【図１５Ａ】前方位置にあるトリガーの概略側面立面図である。
【図１５Ｂ】後方位置にあるトリガーの概略側面立面図である。
【図１６】前方位置にあるトリガーの概略斜視図である。
【図１７】後方位置にあるトリガーの概略斜視図である。
【図１８】トリガーの概略正面立面図である。
【図１９】トリガーの概略斜視図である。
【図２０】トリガーの概略斜視図である。
【発明を実施するための形態】
【００１１】
下記の説明は、それぞれが様々な構成要素を有するハウジング、トリガー、ノズル、及び容器を備える噴霧器及びスプレーアクチュエータを説明しているが、噴霧器は、下記の説明で明記されるか、又は図面に図示される構成及び配置に限定されるものではないことを理解されたい。本開示の噴霧器、アクチュエータ、ハウジング、トリガー、ノズル、ポンプアセンブリ、及び容器は、他の構成に対しても適用可能であるか、又は様々な方法で実施若しくは実行され得る。例えば、トリガーの構成要素は、手動作動式トリガー噴霧器又はエアロゾル型噴霧器のバルブステムのための様々なポンプアセンブリと共に使用されてもよい。更に、トリガー及び／又はポンプアセンブリは、組成物を空気中に送り出すための様々なスプレーアクチュエータと共に使用されてもよい。
【００１２】
本開示は、噴霧器、噴霧器アクチュエータ、並びにその製造及び使用方法に関する。図１〜図１１は、噴霧器２０の１つの非限定的な実施形態を示す。図１に示すように、噴霧器２０は、容器２２及び噴霧器アクチュエータ（又は「アクチュエータ」）２４を備える。噴霧器アクチュエータ２４は、ハウジング２６、トリガー２８、及びノズル３０を備える。噴霧器２０は、エアゾール噴霧器などの加圧容器噴霧器、若しくは非エアゾール手動作動式トリガー噴霧器、又は本明細書に記載される特徴から利益を得ることができる任意の他の好適なタイプの噴霧器とすることができる。噴霧器２０及びスプレーアクチュエータ２４は、長手方向軸を有してもよく、これは供給時の流量の一部分に平行である。
【００１３】
図１及び図７を参照すると、容器２２は、噴霧器によって供給されることになる製品を保持するための任意の好適な種類の容器とすることができる。容器２２は、任意の好適な形状であってもよい。容器２２は、基部３２、側部３４、下部３６、上部３８、及び頂部４０を有する。容器２２は、概ね円筒形であってもよいが、容器の側部３４は、容器の上部３８にわずかに凸状の曲率で内側に先細になっていてもよい。したがって、容器２２は、その上部３８においてより狭くなっている。図１を参照すると、容器２２は、上部３８及び／又は頂部４０よりも大きな（例えば、より広い、より大きな容積など）基部３２、下部３６、又は側部３４を有してもよい。容器２２は、異なる構成で多数の他の形状を有することができる。容器は、プラスチック、金属、ガラスなど、及びこれらの組み合わせを含む様々な材料を含んでもよい。単一のスプレーアクチュエータ２４は、様々なサイズ及びデザインの容器２２と共に使用することができる。
【００１４】
容器２２は、噴霧器２０によって噴霧することができる任意の好適な組成物を収容することができる。組成物は、液体組成物、液体−泡組成物、ゲル組成物、及び他の組成物を含む、任意の好適な形態とすることができる。製品の例としては、空気フレッシュニング組成物、布地フレッシュニング及び／又は洗浄組成物、硬質表面洗浄組成物、スプレーデンプンなどのアイロン助剤、殺虫剤、塗料、化粧品組成物、パーソナルクレンジング組成物、並びに他の工業用、商業用、家庭用、自動車用及び／又はガーデン用の組成物が挙げられるが、これらに限定されない。
【００１５】
図１及び図２を参照すると、噴霧器は、容器２２の下部３６からスプレーアクチュエータ２４まで延在するディップチューブ３１を備えてもよい。ディップチューブ３１は、第１の端部において容器２２内に収容された組成物と、及び反対側の第２の端部においてスプレーアクチュエータ２４と、流体連通してもよい。容器２２に収容された組成物は、トリガー２８による作動に応答して、ディップチューブ３１を通じて上方に引き込まれる。
【００１６】
アクチュエータハウジング２６は、様々な異なる形状及びサイズで構成されてもよい。図１、図２、図７、及び図８を参照すると、アクチュエータハウジング２６は、下部４２、上部４４、腰部４６、及び頂部４８を有してもよい。下部４２は、容器２２上又は容器２２の上方において嵌合する。腰部４６は、下部４２と上部４４との間に配置されてもよい。腰部４６は、上部４４及び／又は下部４２のそれぞれの最も広い部分よりも狭くてもよい。腰部４６及び下部４２はそれぞれ、上部４４の最も広い部分よりも狭くてもよい。腰部４６は、噴霧器アクチュエータ２４に人間工学的デザインを提供する。
【００１７】
アクチュエータハウジング２６は、ユーザーが、狭い腰部４６の周りに、少なくともユーザーの親指５０及び人差し指５２を巻き付けることができるように構成されてもよい。本実施形態では、噴霧器アクチュエータハウジング２６はまた、ユーザーの手のひらのしわなどのユーザーの手のひらの自然な輪郭に快適に適合することを可能にする構成を備える。図１２に示されるように、上から見たとき、上部４４の少なくとも一部は、狭くなった腰部４６と接触するユーザーの親指５０及び人差し指５２の部分を越えて外向きに延在して出っ張りを形成する。
【００１８】
図１及び図１１を参照すると、狭い腰部４６を有することは、噴霧器２０を、特により小さな手でより容易に把持されるようにし得る。更に、上部４４は、上から見たときに少なくとも部分的に腰部４６を囲むユーザーの手の部分よりも広い部分を少なくとも備えているので、上部４４のこれらの部分によって形成された出っ張りは、使用中にユーザーの親指及び人差し指の一部分上に置かれて噴霧器２０の重量を少なくとも部分的に支持することができる。これにより、特に噴霧器２０を長期間使用するときに、ユーザーの指及び／又は手首の圧力を緩和することができる。
【００１９】
上部４４は、狭くなった腰部４６と接触しているユーザーの手の部分よりも広い噴霧器の前部、側部、及び後部の部分を含んでもよい。上部４４は、狭くなった腰部４６と接触しているユーザーの手の部分よりも、噴霧器の周り全体にわたって広い部分を有しなくてもよい。上部４４の任意の好適な部分（複数可）が、狭くなった腰部４６と接触するユーザーの手の部分を越えて横方向外側に延在してもよい。このような好適な部分としては、限定するものではないが、側部、好ましくは両側のうちの少なくとも一方の側、及び／又は噴霧器の後部が挙げられる。
【００２０】
アクチュエータハウジング２６の下部４２は、容器２２の頂部４０及び／又は側部３４と重なり合ってもよい。アクチュエータ２４の下部４２は、容器２２の側部３４の外側表面とアクチュエータ２４の下部４２とが同一面上にあるか、又は実質的に連続した表面を形成するように構成されてもよい。アクチュエータハウジング２６の下部４２の全ての部分は、均一な長さであってもよい。又は、アクチュエータ２４の下部４２は、噴霧器の前方にノズル３０を備えている場合に、噴霧器の前方よりも噴霧器２０の後方に更に下方に延在してもよい。
【００２１】
図１及び図７〜図９を参照すると、アクチュエータハウジング２６の上部４４は、前部、後部、及び裏側部４９を有する。アクチュエータハウジング２６の部分は、噴霧器の後部からノズル３０を備える噴霧器の前部まで上向きに角度付けされてもよい。例えば、アクチュエータハウジング２６の裏側部４９及び頂部４８の一方又は両方は、噴霧器の後部から噴霧器の前部まで上向きに角度付けされてもよい。上部４４の裏側部４９は、ユーザーの手首を曲げることなく、噴霧器をユーザーがより人間工学的に保持することができるように、その上部の裏側部が後部よりも前部でより高くなるように傾斜されてもよい。ハウジングの頂部４８（及び／又は裏側部４９）は、異なる構成（例えば、平坦、下向き傾斜など）を有してもよい。ハウジング２６の頂部４８を完全に取り除くことさえも可能としてもよい。
【００２２】
噴霧器ノズル３０は、ノズル３０から噴霧される組成物が０°超かつ９０°未満の角度で方向付けられるように向けられるため、アクチュエータハウジング２６の頂部４８は上方に傾斜されてもよい。すなわち、組成物は、基部３２に平行に噴霧されなくてもよいし（すなわち、基部が水平表面上に配置されたときに水平に）、垂直に噴霧されなくてもよい（容器の軸方向に真っ直ぐ上方に）。組成物は、ノズル３０から０°超かつ９０°未満の角度で噴霧されてもよい。
【００２３】
ノズル３０から噴霧される組成物は、水平（０°）又は垂直（９０°）に噴霧されることが望ましい場合がある。アイロン助剤の場合など、更に他の状況では、ノズル３０から噴霧される組成物は、表面に向かって下向きに（０°〜−９０°の角度で）方向付けられることが望ましい場合がある。しかしながら、スプレーパターンは典型的には分散体の形態であり、ノズルから放出されるスプレーは、側面から見たときに、分散した噴霧パターンのある角度を形成することが理解される。本明細書で言及されるスプレーの角度は、このようなスプレーパターンを二分する、図８に示すような中心軸Ａである。スプレーパターンの部分は、典型的には、この中心軸の両側に分布されることが理解される。
【００２４】
図１、図２、図７、及び図８を参照すると、アクチュエータ２４は、ねじ山、差し込み嵌合具、及びスナップ嵌めを含むがこれらに限定されない手段によって、物品を容器に取り外し可能に取り付けるための、当該技術分野において既知の任意の様式で容器２２に取り外し可能に取り付けることができる。アクチュエータ２４は、容器２２に恒久的に取り付けられてもよく、又はアクチュエータ２４は、容器２２に取り外し可能に取り付けられてもよい。
【００２５】
アクチュエータハウジング２６は、トリガー２８がその内部を通って延在するための開口部４７を含んでもよい。
【００２６】
スプレーアクチュエータ２４は、手動作動式トリガースプレーアクチュエータとして、又はエアゾールスプレーアクチュエータとして構成されてもよい。スプレーアクチュエータの構成要素は、手動作動式スプレーアクチュエータ又はエアロゾルスプレーアクチュエータとして構成されるかどうかにかかわらず、同じ又は同様にデザインされてもよいことを理解されたい。
【００２７】
図１〜６を参照すると、スプレーアクチュエータ２４は、手動作動式トリガースプレーアクチュエータとして構成されてもよい。手動作動式スプレーアクチュエータ２４は、ポンプアセンブリ５３を備える。トリガー２８の、そのストロークを通じた手動作動は、ポンプアセンブリ５３のピストン５４の対応する垂直動作を生じさせる。ピストン５４の垂直動作は、容器２２から、流路を通じて、ノズル３０の外へ組成物をポンプで送り出す。ピストン５４は、ポンプ本体５５内で往復運動で動いてもよい。噴霧器２０は、関節運動する頂部枢動式トリガー２８を利用してもよい。
【００２８】
手動で操作されるトリガー噴霧器又はエアゾール噴霧器のいずれかにおいて、戻しばね５６は、トリガー２８を容器２２から離れるように、かつストロークの終了時に前方位置（「前方運動」）へと力を加えるように付勢する。戻しばね（複数可）５６は、２つの湾曲した平行ばね５６として構成されてもよい。戻しばね５６は、各端部に接続されてもよく、かつピストン５４／流体チャンバ５８の外に配置されても良い。組成物用の垂直上方の流路は、戻しばね５６の間に配置されてもよい。
【００２９】
手動で操作されるトリガー噴霧器において、トリガー２８を容器に向かって絞る（「後方運動」）ことにより、流体チャンバ５８内に水圧が生じ、組成物が供給される。トリガー２８の前方運動は、真空を生成し、容器２２から組成物を引き込み、流体チャンバ５８を再補充する。
【００３０】
図３を参照すると、流体チャンバ５８が充填されると、トリガー２８の後方運動は、ポンプ本体５５内のピストン５４の下方運動に変換される。ピストン５４の下方運動は、流体チャンバ５８を加圧する。流体チャンバ５８内の圧力が所定のレベルに達すると、系内の抵抗力は回復し、バルブ６０を開かせ、組成物を導管６２を通ってノズル３０から流出させる。戻しばね５６は、トリガー２８を前方休止位置へと自動的に繰り返し動かし、流体チャンバ５８は組成物で再補充される。
【００３１】
図４を参照し、かつポンプアセンブリ５３をより詳細に検討すると、ポンプ本体５５は、段付き構成を有してもよく、往復ピストン５４を収容してもよい。ポンプ本体５５は、アクチュエータ２４の下部５２のねじ込み密閉部５０によって捕捉されてもよい。ねじ込み密閉部５０は、所望によりリ容器２２内の組成物にアクセスし、かつこれを補給するために開放することができる。ねじ込み密閉部５０が図４に示されているが、その密閉部は、差し込み又はスナップ嵌めなどの異なるタイプの密閉部として構成されてもよいことを理解されたい。
【００３２】
図２〜４を参照すると、往復ピストン５４は、上方密閉部１５０Ｕ及び下方密閉部１５０Ｌを有してもよく、これらの両方は本体４８内に適合する。ピストン５４内に配置されたバルブ６０は、ばね（図示せず）によって抵抗を受けるその垂直運動を有し得る。トリガー２８の動作からの力が、ピストン５４に適用される力を増加させると、バルブ５５は下向きに移動することができ、チャンバ４４内の組成物が後で供給されるように加圧する。
【００３３】
導管６２は、様々な様式で構成されてもよい。例えば、図２を参照すると、導管６２は可撓性であり、約９０度で屈曲されてもよい。可撓性の導管６２は、トリガー２８／クランク・ロッカーの動作に応答して、曲がり管６５において角度をわずかに増加させながら、曲がり管６４において屈曲する。導管６２の下流部分は、曲がり管６４において屈折し、スピナー６６において終端する。
【００３４】
導管６２を通じて流れる組成物はスピナー６６を通過する。スピナー６６は、組成物がノズル３０に到達する前に、組成物に接線回転を付与する。スピナー６６は、ノズル３０内へ、スピナー６６のショルダまで挿入される。スピナー６６及びノズル３０は固定されている。スピナー６６は、軸方向長さの下方流上の半分で１８０度外向きに配置された２つの長手方向の溝部を有する、一定直径のピンを備えてもよい。溝部は、旋回チャンバで終端する。旋回チャンバは、スピナー６６の面上に配置される。
【００３５】
スピナー６６は２つの長手方向に対向する端部（上述の屈曲した導管６２が内部に適合される上方流端部及びノズル３０内に適合する下方流端部）を有し得る。スピナー６６は、約１１ｍｍの長さ及び約４〜５ｍｍの段付き直径を有してもよい。スピナー６６は、その下流部分の周りに均等に円周方向に離間した２つの長手方向に配向されたスロットを有してもよい。
【００３６】
スピナー６６を出ると、組成物は、大気又は標的の表面上に供給するためにノズル３０を通過する。ノズル３０は、約０．５ミリメートル（「ｍｍ」）〜約６ｍｍの直径を有してもよく、かつ外面上で半径方向であってもよい。組成物は、所定のスプレーパターンでノズル３０から供給され、これは、トリガー２８の操作のストローク速度、ストローク長さ等に従って様々であってもよい。所望により、スプレーパターンを調節するための対策がなされてもよい。
【００３７】
ポンプアセンブリ５３全体は、ハウジング７０内に包まれてもよい。ノズル３０以外は、ポンプアセンブリ５３からハウジング７０の外への直接的な開口部がない場合がある。
【００３８】
図５〜６を参照すると、トリガー２８は、図２及び３に示される形状よりも、長手方向軸に対して、より垂直で／半径方向に向けられた移動をもたらすように構成されてもよい。この移動の向きは、トリガー２８の最上部分付近に配置された据付旋回軸６８を提供することによって達成され得る。トリガー２８上の後方に面する突出部７０は、関節動作可能なクランク・ロッカー７４のロッカー・アーム７２に対して上方に枢動し得る。ロッカー・アーム７２は、２つの旋回軸６９上に搭載される。クランク・ロッカー７４の反対側の端部７６は、下向きに関節動作し、長手方向軸に整列された、又はこれと合致する力Ｆをもたらす。この力Ｆは、ピストン５４を下向きの方向に移動させ、流体チャンバ５８内の組成物を加圧する。図４に戻って参照すると、流体チャンバ５８の下部内の組成物は、ピストン５４によって移動させられ、流体チャンバ５８の環状部分を通じて上方へ流れて、バルブ６０を通過し、導管６２内へと流れる。
【００３９】
図２〜図３に示されるようなアクチュエータ２４は、図５〜６のアクチュエータ２４よりも部品が少ないという利点を提供する。図５〜図６に示されるようなアクチュエータ２４は、より水平なトリガー２８の動きが所望されるときに利用されてもよく、それにより望ましい人間工学を提供する。
【００４０】
手動作動式トリガー噴霧器において、ポンプアセンブリ５３は、当業者に既知の予圧縮ポンプアセンブリとして構成されてもよい。
【００４１】
図７〜図１３を参照すると、スプレーアクチュエータ２４は、エアゾール噴霧器２０用に構成されてもよい。トリガー２８は、より大きなトリガー部品８２の一部であってもよく、トリガー部品８２の後部は、それに接合されるか、又はそれと一体的に形成されたバー８４を有する。トリガー部品８２はまた、軸受部８６を備える。バー８４は、その後部においてアクチュエータハウジング２６の内側に位置する棚部９０の凹部又はスロット８８に嵌合するように構成されている。これにより、トリガー部品８２がヒンジ式に回転することが可能になる。したがって、トリガー２８は、噴霧器２０の前部から延在し、アクチュエータハウジング２６と動作可能に関連する。図７〜図１３のトリガー部品８２はエアゾール噴霧器の一部として示されているが、トリガー部品８２は、手動作動式トリガー噴霧器２０のトリガー２８及びポンプアセンブリ５３と共に使用するように適合され得ることを理解されたい。
【００４２】
図１０を参照すると、エアゾール噴霧器において、容器２２は、容器の頂部４０から上方に延在する従来のバルブステム９２を有してもよい。噴霧器アクチュエータ２４は、導管６２を更に備える。導管６２は、第１の端部及び第２の端部を有してもよい。導管６２は、導管６８の第１の端部（又は前部）でノズル３０と動作可能に接続されている。導管６８は、容器２２の内容物をノズル３０に送ってそれらが容器２２から噴霧されるようにすることと、またバルブステム９２上で下向きの力を伝達して容器２２の内容物を解放することとの二重の目的を果たしてもよい。
【００４３】
バルブステム９２上で下方前方に伝達するために、導管６８の反対側の第２の端部は、プラットフォーム９４及びキャップ９６と接続されてもよい。この導管は、第１の直立導管部９８と第２の角度付け導管部１００とを備えてもよい。第２の導管部１００は、第１のセグメント７２との間で０°超の角度θＡを形成する。噴霧器が容器２２の基部に対して上向きの角度でスプレーを方向付けるように構成されている場合、この角度θＡは、約９０°より大きく、かつ約１８０°未満である。ノズル３０は、アクチュエータハウジング２６の前部の固定位置に保持されてもよく、導管６８のキャップ部９６は、容器２２のバルブステム９２の上に嵌合する。導管６８の第１の導管部９８は、第２の導管部１００よりも剛性であってもよい（後者は好ましくは可撓性である）。
【００４４】
噴霧器アクチュエータ２４は、以下の様式で動作し得る。ユーザーがトリガー２８を後方運動でアクチュエータハウジング２６に向かって内側に引くと、これにより、トリガー部品８２の軸受部８６が導管６８上のプラットフォーム９４上に押し下げられる。これにより、導管６８の第１の導管部９８が下方に移動し、容器のバルブステム９２を作動させる。ノズル３０は固定位置にあるため、導管６８の可撓性の性質の第２の導管部１００は屈曲し、第１の導管部９８の下方運動を生じさせ得る。バルブステム９２は、容器２２の内容物が解放されることを可能にする。容器の内容物は、導管６８を通って、ノズル３０から流出してもよい。
【００４５】
導管６２は、本明細書に記載される要素の全てを備える必要はなく、これらの要素は、噴霧器アクチュエータ２４のいくつかの他の要素の一部として提供されることができる。導管６８は、導管部のうちの１つが可撓性であり、かつ１つがより剛性である第１及び第２の導管部を備える必要はない。導管６８全体が可撓性であってもよく、又は導管全体が剛性であってもよい。しかしながら、これは、噴霧器アクチュエータが機能する方法を変えることができる。
【００４６】
ノズル３０は、アクチュエータハウジング２６の前部の固定位置に留まる必要はない。例えば、トリガー２８が移動すると、ノズル３０が上方及び下方に移動するようにノズル３０を取り付けることができる。
【００４７】
トリガー部品５６は、アクチュエータハウジング２６に取り付けられた別個の構成要素ではなく、アクチュエータハウジング２６の一部又はアクチュエータの任意の他の部分を備えることができる。このような噴霧器アクチュエータは、本明細書に記載の噴霧器の特徴の全てを含む必要はない。
【００４８】
更に他の実施形態では、トリガー部品５６及び導管６８は、単一の一体構成要素として形成されることができる。
【００４９】
エアゾール噴霧器２０において、容器２２はまた、その中に配置された組成物を供給するための噴射剤を含んでもよい。任意の好適な噴射剤が使用され得る。好適な噴射剤としては、イソブテン、ブタン、イソプロパン、ジメチルエーテル（dimethyl ether、ＤＭＥ）などの炭化水素噴射剤、又は、圧縮空気、窒素、不活性ガス、二酸化炭素、及びこれらの混合物が挙げられるがこれらに限定されない圧縮ガスなどの非炭化水素噴射剤、液化ガス噴射剤、及び可溶性ガス噴射剤が挙げられるが、これらに限定されない。噴射剤が炭化水素噴射剤を実質的に含まないことが望ましい場合がある。圧力下で内容物を収容するように構成された容器は、金属、プラスチックなど、又はこれらの組み合わせから構成されてもよい。
【００５０】
ノズル３０は、任意の好適なサイズの液滴を噴霧するように構成されてもよい。ノズル３０は、複数の液滴を噴霧するように構成されてもよく、スプレー液滴の少なくとも一部は、約０．０１μｍ〜約５００μｍ、又は約５μｍ〜約４００μｍ、又は約１０μｍ〜約２００μｍの範囲の直径を有する。スプレー液滴の平均粒径は、約１０μｍ〜約１００μｍ、又は約２０μｍ〜約６０μｍの範囲であってもよい。これらのサイズの液滴は、空気中の液滴を長期間懸濁させることが望ましい空気フレッシュニング組成物の場合に有用であり得る。
【００５１】
粒径の直径は、Ｓｐｒａｙｔｅｃ２０００粒径分析器を使用して、Ｍａｌｖｅｒｎ  ＲＴ  Ｓｉｚｅｒ３．０３ソフトウェアを使用して決定される。両方ともに、Ｍａｌｖｅｒｎ  Ｉｎｓｔｒｕｍｅｎｔｓ，Ｌｔｄ（ＵＫ）から入手可能である。
【００５２】
それぞれ０．１０及び９００．００マイクロメートルの最小及び最大粒径検出を有する、３００ｍｍのレンズが使用される。スプレーノズルは、１００ｍｍの経路長さを使用して、レーザービームから１４０ｍｍに配置される。１．３３の粒子屈折率及び１．００の分散屈折率が選択される。吸光分析はオフ、多重散乱はオンに設定して、０．４１の残差が選択される。散乱開始は１に設定され、散乱終了は３６に設定され、散乱閾値は１に設定される。
【００５３】
当業者は、５０％の粒子が、示された値よりも小さい平均粒径を有するということを意味する、Ｄｖ（５０）の測定を考慮するであろう。同様に、当業者は、９０％の粒子が、示された値よりも小さい平均粒径を有するということを意味する、Ｄｖ（９０）の測定を検討するであろう。
【００５４】
当業者はまたＤ［４，３］の測定を検討し得る。この測定は、４乗された個々の粒径を合計し、３乗された個々の粒径の合計によって除される。この測定は、測定において検討される粒子の実際の数とは無関係である。
【００５５】
当業者は、噴霧器２０を使用して、供給される組成物の異なる粒径分布を望む場合がある。粒子が大きすぎる場合、組成物は単に床の上に落下するか、標的の表面上でパドリングをしながら、濡れたスポットを形成する場合がある。粒子が小さすぎる場合、有効であるために十分な表面積を有しない場合がある。例えば、直径で５０（マイクロメートル）未満のスプレー粒子はいつまでも、又は蒸発が生じるまで浮遊したままであり得る。
【００５６】
図１４Ａ〜図１５Ｂを参照すると、噴霧器アクチュエータは、噴霧器の前部でアクチュエータハウジングと動作可能に関連するトリガー２８を備える。トリガー２８は、人間工学的にデザインされてもよい。トリガー２８は、ユーザーが２本以上の指（人差し指及び中指など）を使用してトリガー２８を作動させることを可能にしてもよい。これにより、長時間の噴霧の場合にユーザーの人差し指の疲労が軽減される。
【００５７】
トリガー２８は、非限定的な例示目的のみのための図１４Ａ〜図１５Ｂに示される第１のゾーン２８ａ及び第２のゾーン２８ｂなどの２つ以上のゾーンを備えてもよい。各ゾーンは、ユーザーがゾーン（２８ａ、２８ｂなど）のそれぞれの上に１本以上の指を置くことができるように構成されてもよい。例えば、ユーザーは、第１のゾーン２８ａ上に２本の指を置き、第２のゾーン２８ｂ上に２本の指を置くことが可能になり得る。各ゾーン（２８ａ、２８ｂなど）は、ユーザーの指によってゾーンのそれぞれに加えられる力がピストン５４の作動に寄与するように、ポンプアセンブリと動作可能に関連してもよい。
【００５８】
トリガー２８は、トリガー２８の１回のストロークを介してより人間工学的となるように又は適合するようにデザインされてもよい。図１４Ａ及び図１４Ｂを参照すると、各ゾーンは、トリガー２８の隣接するゾーンと一緒に接合される別個の要素として構成されてもよい。各隣接するゾーン２８ａ、２８ｂは、ヒンジ１０４によって互いに接合されてもよい。隣接するゾーンは、第１のゾーン２８ａと第２のゾーン２８ｂとの間のヒンジ軸線Ｂなどのヒンジ軸線を中心に回転可能であってもよい。図１５Ａ及び図１５Ｂを参照すると、第１のゾーン２８ａ及び第２のゾーン２８ｂなどの、隣接するゾーンは、一体型要素であってもよく、ヒンジ１０４はリビングヒンジとして構成されてもよい。
【００５９】
アクチュエータ２４は、トリガーの１つ以上のゾーンの移動経路内に配置される機械的停止部１０６を含んでもよい。図１４Ａ及び図１５Ａを参照すると、トリガー２８は、第１のゾーン２８ａが機械的停止部１０６から離れて配置される前方位置で開始する。トリガー２８が作動され、後方位置に向かって移動すると、トリガー２８全体は、軸線Ａを中心として回転する。図１４Ｂ及び１５Ｂを参照すると、第１のゾーン２８ａが機械的停止部１０６に接触すると、機械的停止部１０６は、トリガーの第１のゾーン２８ａに力を加え、第１のゾーン２８ａ及び第２のゾーン２８ｂを、ヒンジ軸線Ｂを中心として反対方向に回転させる。ヒンジ軸Ｂを中心とするゾーンの運動の結果として、第１のゾーン２８ａは、軸線Ａを中心としたトリガーの第２のゾーン２８ｂの運動から係合解除される。第２のゾーン２８ｂは、ユーザーがトリガーを後方位置に向かって作動させ続けるにつれて、軸線Ａを中心として回転し続け得る。
【００６０】
トリガーの第１のゾーン２８ａの運動を係合解除することによって、ユーザーは、トリガー２８を人間工学的に操作することが可能となり得る。具体的には、ユーザーは、自身のより力の弱い指（例えば、小指及び薬指）であり得るものを係合解除し、トリガーを完全なトリガーストロークを介して、自身のより力の強い指で作動させ続けることができる。更に、トリガーの下部ゾーンのうちの１つ以上を機械的停止部（複数可）を介して係合解除することによって、トリガー２８のモーメントアームは、後方運動ストローク全体にわたって変化する。トリガーがアクチュエータハウジング２６及び／又は容器２２に近いほど、より力の強い指がトリガー上でより良好な把持を有し得るため、より力の弱い指は、トリガー２８がストロークの後方位置に近いときに、もはや必要とされなくなり得る。
【００６１】
図１４ａを参照すると、１つ以上のゾーンは、トリガー２８の第１のゾーン２８ａ上の延長部１０８などの延長部を含んでもよい。延長部１０８は、１つ以上のゾーンから延在してもよく、隣接するゾーンと重なり合ってもよい。トリガーのゾーンがヒンジで接続された別個の要素である構成において、延長部１０８は、前方位置へと戻るトリガーの前方運動の間に、隣接するゾーンを一緒に係止する利益を提供し得る。図１５ａを参照すると、リビングヒンジ１０４によってゾーンが接合されている構成において、延長部が必要とされない場合がある。
【００６２】
トリガー２８は、ユーザーの動的な人間工学的把持を提供するために、ストローク全体にわたって変化するモーメントアームを有してもよい。図１６及び図１７を参照すると、変化するモーメントアームを実現するために、トリガー２８は、エラストマー材料から構成されてもよい。トリガー２８は、第１のゾーン２８ａ及び第２のゾーン２８ｂなどの少なくとも２つのゾーンを備えてもよい。ゾーン（２８ａ、２８ｂなど）は、単一の要素からなってもよく、そこでは要素の一部分が取り除かれ、それにより第２のゾーン２８ｂが第１のゾーン２８ａに対して移動することを可能にする開口部を残す。図１６を参照すると、非作動前方位置では、第１のゾーン２８ａ及び第２のゾーン２８ｂは整列されてもよい。図１７を参照すると、ユーザーは、第１のゾーン２８ａを作動させて、第１のゾーン２８ａが後方運動の前方位置から後方位置へと移動する際に第１のゾーン２８ａを屈曲させてもよい。第１のゾーン２８ａが後方運動で作動される間、第２のゾーン２８ｂは、トリガー２８が第２のゾーン２８ｂに隣接して屈曲し始めるまで前方位置に留まることができ、それにより第２のゾーン２８ｂは、後方位置に向かって後方運動で移動し始める。上述のように、モーメントアームを１回のストロークで変更することによって、トリガーがアクチュエータハウジング２６及び／又は容器２２に近いほど、より力の強い指がトリガー上でより良好な把持を有し得るため、より力の弱い指は、トリガー２８がストロークの後方位置に近いときに、もはや必要とされなくなる。トリガー２８を、図１７の第１のゾーン２８ａ及び第２のゾーン２８ｂなどの複数のゾーンに分離すると、１回のストロークのスプレー持続時間を標準ストロークの持続時間を超えて延ばし得る。
【００６３】
図１６〜図１８を参照すると、トリガーの全てのゾーンを含むトリガー２８の前面１１２又は背面１１４は、ユーザーが単一の表面のみを見て、第１のゾーン２８ａと第２のゾーン２８ｂとの間の開口部１１０を見ることができないように、追加の可撓性材料１１６によって被覆されてもよい。
【００６４】
トリガーはまた、ユーザーが所望のモーメントアーム長さを選択するように構成されてもよい。例えば、図１９及び図２９を参照すると、トリガー２８は、第１のゾーン２８ａ及び第２のゾーン２８ｂなどの少なくとも２つのゾーン及び前面１１２を備える。トリガー２８は、少なくとも２つの構成で適合可能であってもよい。第１の構成では、前面１１２は、第１の長さＬ１を有してもよい。外側表面１１２の第１の長さＬ１は、第１のゾーン２８ａの長さを含み、第２のゾーン２８ｂは、第１のゾーン２８ａと重なるトリガー２８の背面１１４上に配置される。第２の構成では、トリガー２８の外側表面１１２は、第１の長さＬ１とは異なる第２の長さＬ２を有してもよい。第２の長さＬ２は、第２のゾーン２８ｂが第１のゾーン２８ａから延在するときに組み合わされた第１のゾーン及び第２のゾーンの長さを含む。トリガー２８はまた、３つ以上の構成に適応可能であってもよく、各構成において、前面１１２は、異なる長さに調節可能である。追加の構成を実現するために、トリガー２８は、３つ以上のゾーンを有してもよい。ゾーン（２８ａ、２８ｂなど）は、回転可能に又はスライド可能に接続されてもよい。第１のゾーン２８ａ及び第２のゾーン２８ｂがスライド可能に接続されている場合、トリガーは、第２のゾーンが外側表面１１２の一部分を形成するときに第２のゾーンを所定の位置に係止するラッチ又はバンプ止め部を備えてもよい。
【００６５】
トリガー２８のゾーン（２８ａ、２８ｂなど）は、同様にサイズ決めされてもよく、又は１つのゾーンが他のゾーンよりも大きくてもよい。トリガー２８のゾーンは、同じ又は異なる材料から構成されてもよい。
【００６６】
図１４Ａ〜図１８を参照すると、本開示の任意のトリガー２８は、カバーを更に備えてもよいことを理解されたい。ユーザーがトリガーの複数のゾーン間の輪郭を視認することができず、その代わりに連続した表面を見て感じるように、図１８に示されるようなカバーが、トリガーを少なくとも部分的に取り囲むために使用されてもよい。カバー７８は、トリガーが静止している間及び／又はトリガーが作動されている間に、トリガー２８の第１のゾーン２８ａ及び第２のゾーン２８ｂの形状に適合してもよい。カバー７８は、トリガー２８の第１のゾーン２８ａ及び第２のゾーン２８ｂの露出面よりも人間工学的及び／又は審美的にユーザーが満足する連続表面を形成してもよい。カバー７８は、例えばシリコーンゴムなどのエラストマーから構成されてもよい。しかしながら、カバー７８には様々な他の材料が使用されてもよい。
【００６７】
第１のゾーン２８ａの後方運動の間、トリガーの第２のゾーン２８ｂは静止したままにして、エネルギー貯蔵カップリング８０へとエネルギーが伝達されるようにしてもよい。次いで、ユーザーがトリガー２８を押し下げた状態で保持し続けると、エネルギー貯蔵カップリング８０は、トリガー２８の第２のゾーン２８ｂを後方運動で力を加えることによって、貯蔵エネルギーを放出する。第２のゾーン２８ｂの後方運動は、エネルギー放出ピストンを後方方向に移動し続けさせる。その結果として、ユーザーは、トリガー２８の第１のゾーン２８ａが完全に押圧されて、ユーザーがそのような噴霧を達成するためにより低い、より人間工学的な力をユーザーが適用しても、ノズル３０からの組成物の延長された噴霧を経験する。同じ量の組成物が、エネルギー貯蔵カップリング８０を有する噴霧器から供給されてもよいが、エネルギー貯蔵カップリング８０は、噴霧の持続時間を延ばすことができることを理解されたい。
【００６８】
エネルギー貯蔵カップリング８０は、トーションばね、コイルばね、板ばね、エラストマー材料、及びこれらの組み合わせからなる群から選択されてもよい。
【００６９】
トリガー２８は、任意の好適な寸法を有することができる。トリガーは、約１．２５インチ（約３０又は３２ｍｍ）以上の長さＬを有してもよい。トリガー２８は、約７／１６インチ（約１０又は１１ｍｍ）以上の幅Ｗを有してもよい。例えば、トリガー２８は、約１０／１６インチ（約１５又は１６ｍｍ）の幅を有してもよい。トリガー２８は、人間工学的にデザインされていなくてもよく、より従来のデザイン及びサイズであってもよい。
【００７０】
本明細書において記載され、請求されているトリガー噴霧器２０は、蒸留水から、空気／布地リフレッシュ組成物の範囲の特定のレオロジー特性を有する組成物と共に使用するのに好適である。具体的には、本開示と共に使用するのに好適な組成物は、２５℃において約０．８５〜約１．１センチポワズの範囲の動的粘度及び約８．９Ｅ−４〜約０．００１（パスカル秒）の範囲の動粘性率を有し得る。組成物は、２５℃において約２０〜約７５ミリニュートン／メートルの範囲の表面張力を有し得る。
【００７１】
本明細書全体を通して記載される全ての最大数値限定は、それよりも低い全ての数値限定を、かかるより低い数値限定があたかも本明細書に明確に記載されているかのように包含することを理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００７２】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【００７３】
本明細書全体を通して記載される全ての最大数値限定は、それよりも低い全ての数値限定を、かかるより低い数値限定があたかも本明細書に明確に記載されているかのように包含することを理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００７４】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００７５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020508942.tif 000003
【図２】
2020508942.tif 000004
【図３】
2020508942.tif 000005
【図４】
2020508942.tif 000006
【図５】
2020508942.tif 000007
【図６】
2020508942.tif 000008
【図７】
2020508942.tif 000009
【図８】
2020508942.tif 000010
【図９】
2020508942.tif 000011
【図１０】
2020508942.tif 000012
【図１１】
2020508942.tif 000013
【図１２】
2020508942.tif 000014
【図１３】
2020508942.tif 000015
【図１４Ａ】
2020508942.tif 000016
【図１４Ｂ】
2020508942.tif 000017
【図１５Ａ】
2020508942.tif 000018
【図１５Ｂ】
2020508942.tif 000019
【図１６】
2020508942.tif 000020
【図１７】
2020508942.tif 000021
【図１８】
2020508942.tif 000022
【図１９】
2020508942.tif 000023
【図２０】
2020508942.tif 000024
【国際調査報告】
2020508942.tif 000025
2020508942.tif 000026